(57)【要約】      （修正有）【課題】ウイルスが付着している可能性の高いスイッチやドアノブなどに手や指を触れる寸前に、時間を掛けずに即座に指に装着できると共に、万一ウイルスが付着しても、ウイルスの付着し易い箇所が明示されていることにより、指の挿抜時において付着したウイルスを身体などに転移させず、付着し易いケ所を消毒、洗浄してウイルスを滅菌できる感染防止機能付き指コートを提供する。【解決手段】指の太さの違いに適応するために、樹脂材、金属材などによりスリットを備えた中空円筒状のフリーサイズリングを形成し、フリーサイズリングの指挿入口３の近傍に挿入する指の指腹の向きを表示するマーキング２を施したボディに指サック８を被覆する。【選択図】図１
0003229572.tif 000002
【実用新案登録請求の範囲】
【請求項１】
短時間で指の挿抜が可能な指サックに関して、指の太さの違いに適応するために、樹脂材、金属材などによりスリットを備えた中空円筒状のフリーサイズリングを形成し、フリーサイズリングの指挿入口近傍に挿入する指の指腹の向きを示すマーキングを施したボディに、指サックを被覆することにより、短時間で指の挿抜が可能、被覆する指サックの交換が可能、かつウイルスの接触感染を防ぎ易い、感染防止ならびに事務用の何れにも適用可能な感染防止機能付き指コート。
【請求項２】
スリットを備えた中空円筒状のフリーサイズリングを指の先端部近くまで延長するとともに、フリーサイズリングの延長部で指腹部を置く部分に開口部を設けたボディに、指サックを被覆して構成する、請求項１に記載する感染防止機能付き指コート。
【請求項３】
スリットを備えた中空円筒状のフリーサイズリングの長さを、親指用には第一関節長以下、その他指用としては第二関節長以下とする、請求項１、請求項２に記載する感染防止機能付き指コート。
【考案の詳細な説明】
【技術分野】
【０００１】最近は感染症としてＳＡＲＳ、コロナが脅威となっています。これらの感染経路としては、飛沫感染と接触感染の２つが考えられますが、接触感染に関しては感染者がくしゃみや咳を手で押さえた後、その手で周りの物に触れてウイルスが付き、別の人がその物に触ってウイルスが手に付着し、その手で口や鼻を触って粘膜から感染します。主な感染場所は電車やバスのつり革、ドアノブ、スイッチなどです。この接触感染を防ぐためには如何にしてウイルスに触れないかであり、必要な時に時間を掛けずに取り出して指に着脱できる簡易なウイルス防護具が求められている。
【背景技術】
【０００２】手や指を経由して口や鼻などからウイルスに感染しないために、手袋や指サックまたは布、チリ紙などによりウイルスが付着している可能性の高いスイッチやドアノブなどに手や指が直接触れない対策は取られていますが、いずれも、ウイルスが付着した手袋や指サック、布、チリ紙などを装着脱する時にウイルスに触れる可能性が否定でき無い。特に汎用の指サックは高摩擦の軟質薄膜で形成されるため、指の挿抜に際して指に軟質薄膜が吸着、纏わりつくため挿抜には時間もかかりすぐには使用できない。
【考案が解決しようとする課題】
【０００３】ウイルスが付着している可能性の高いスイッチやドアノブなどに手や指を触れる寸前に、時間を掛けずに即座に指に装着できると共に、万一ウイルスが付着しても、ウイルスの付着し易い箇所が明示されていることにより、指の挿抜時において付着したウイルスを身体などに転移させず、付着し易いケ所を消毒、洗浄してウイルスを滅菌できる感染防止機能付き指コートを提供する。
【課題を解決するための手段】
【０００４】指の太さの違いに適応するために、樹脂材、金属材などによりスリットを備えた中空円筒状のフリーサイズリングを形成し、フリーサイズリングの指挿入口近傍に挿入する指の指腹の向きを表示するマーキングを施したボディに指サックを被覆する。
【考案の効果】
【０００５】ウイルスが付着している可能性の高いスイッチやドアノブなどを指で触れる場合に、時間を掛けずに即座に指に装着でき、簡単に外せると共に、万一ウイルスが付着しても、マーキングやスリットにより指サックでウイルスが付着し易い位置が明らかなため、指の挿抜時、ならびに保管状態においてもウイルスの付着部に触れるのを避けることにより身体などに転移させ難くすると共に、ウイルスの付着箇所を消毒、洗浄することが出来る指コートが実現する。
【考案を実施するための形態】
【０００６】図１に本考案による感染防止機能付き指サックの基本的な構成概念を示す。図２、図４は、図３に示す指サックを被覆して本考案の感染防止機能付き指コートを構成するボディの例を示している。図３に示す指サックは市販されている汎用品を対象としており、一般的には高摩擦係数の軟質薄膜材で形成されているため、指に嵌める場合も抜く場合も指挿入口の補強部７が軟質薄膜部８をクルクルと巻き込んでしまい簡単では無い。このため、例えば券売機で券を購入する場合に指サックを急いで指に嵌めたり外したり出来ず、押し釦に付着しているウイルスの指への移転を指サックで避けるのは難しい。図２は指サックを被覆するためのボディの概念図の一例を示す。弾性を有する樹脂材や屈曲可能な金属などによる中空円筒状のフリーサイズリング１はスリット４の隙間で指の太さの相違に適応させる。３は指の挿抜口である。スリットの形状の構成は横タイプ、傾斜タイプなど多種多様である。フリーサイズリングに対して指サックは指挿入口の補強部７をフリーサイズリング１のマーキング２を目途に被せて装着する。指を感染防止機能付き指サックに挿抜する場合はマーキングとスリットを確認して、スリットに指腹を合わせて挿抜する。フリーサイズリングの長さは、指の折り曲げを考慮して親指用は第一関節長以下、親指以外は第二関節長以下とするのが望ましい。なおボディのマーキング２は指に感染防止機能付き指コートを挿抜する場合の摘みとしても利用できる。
【０００７】図４はスリット４を備えた中空円筒状のフリーサイズリングを指の先端部近くまで延長するとともに、延長部で指の指腹部を置く部分に開口部６を設けて指サックを介して指腹で確実にボタンなどを押すことが出来るようにする。なおフリーサイズリングならびにフリーサイズリング延長部は指を感染防止機能付き指コートに挿抜する場合に、指の爪側の面が指サックの軟質薄膜に触れないため、軟質薄膜が指に絡まることも無く極めてスムーズに挿抜できる。一般的に汎用の指サックは高摩擦係数の軟質薄膜材で形成されているため、フリーサイズリング面、ならびにフリーサイズリング延長面との間で滑り止め効果が大きく、ボディから指サックが外れることが防がれている。ただし、本考案の感染防止機能付き指サックを使用した場合に於いても、指腹開口部に於ける指サックの表面にはウイルスが付着する可能性は高いが、マーキングやスリットにより指腹開口部の位置は明確に確認できるため、この部分に直接触れず、適切な消毒、洗浄を行うことにより、指によるウイルスの接触感染が防がれる。
【実施例】
【０００８】本考案の感染防止機能付き指コートを人指し指用に構成した実施例を示し、ボディは中空円筒状のフリーサイズリングを指の先端部近くまで延長するとともに、延長部で指の指腹部を置く部分に開口部を設けたボディを形成し、ボディは０．５ｍｍ厚，フリーサイズリング径２２ｍｍ，長さは３５ｍｍ，スリットは横タイプで幅は８ｍｍ、マーキングの高さは５ｍｍでポリプロピレン材で構成し，被覆する指サックは径２０ｍｍ，長さは５０ｍｍ。親指は第一関節，ほかの指は第二関節で指を折り曲げられる構造を考慮したディメンジョンで構成することが指の動きに対して有効である。本考案による感染防止機能付き指コートを片側の手の親指と人指し指に装着すれば，ＡＴＭなどのボタン押したり，ドアノブの操作など殆どの操作が可能であることを確認した。なおマーキングはスリットと共に指の挿入方向をガイドするものであり、単純な突起に限らず指爪面を示す切り欠きを設けたり、ボディに指爪面を示す色表示をするなど種々の表示方法が考えられる。さらにフリーサイズリングの素材は樹脂に限らず、金属でも良く，金属の場合は細菌に対抗性を有する銅材が望ましい。指サックは導電、非導電、滑り止、男性用、女性用、サイズ相違など多様であり、それぞれの用途、指に合ったものを装着する。本考案の感染防止機能付き指コートは単にウイルスの防護のみに限らず，一般的な事務作業に於いても問題なく使用できることも確認し，指の挿抜の容易性は特に優れている。なお、機能、性能、外観、使用する素材、ディメンジョンなどに関しては、本考案の趣旨を逸脱しない範囲であれば種々変形実施が可能である。
【図面の簡単な説明】
【０００９】
【図１】本考案による感染防止機能付き指コートの構成概念図を示す。
【図２】フリーサイズリングで形成するボディの構成概念図を示す。
【図３】汎用の指サックの例を示す。
【図４】フリーサイズリング延長部を形成するボディの構成概念図を示す。
【符号の説明】１．フリーサイズリング
２．マーキング
３．指挿抜口
４．スリット
５．フリーサイズリング延長部
６．指腹開口部
７．指サックの挿入口補強部
８．指サックの軟質薄膜部
【図１】
0003229572.tif 000003
【図２】
0003229572.tif 000004
【図３】
0003229572.tif 000005
【図４】
0003229572.tif 000006
【手続補正書】
【提出日】令和2年7月9日(2020.7.9)
【手続補正１】
【補正対象書類名】実用新案登録請求の範囲
【補正対象項目名】請求項１
【補正方法】変更
【補正の内容】
【請求項１】
短時間で指の挿抜が可能な指サックに関して、指の太さの違いに適応するために、樹脂材、か金属材、または樹脂材と金属材の組み合わせによるスリットを備えた中空円筒状のフリーサイズリングを形成し、フリーサイズリングの指挿入口近傍に挿入する指の指腹の向きを示すマーキングを施したボディに、指サックを被覆することにより、短時間で指の挿抜が可能、被覆する指サックの交換が可能、かつウイルスの接触感染を防ぎ易い、感染防止ならびに事務用の何れにも適用可能な感染防止機能付き指コート。
【手続補正２】
【補正対象書類名】実用新案登録請求の範囲
【補正対象項目名】請求項３
【補正方法】変更
【補正の内容】
【請求項３】
スリットを備えた中空円筒状のフリーサイズリングの長さを、親指用には第一関節長以下、その他指用としては第二関節長以下とする、請求項１又は請求項２に記載する感染防止機能付き指コート。
【手続補正書】
【提出日】令和2年9月7日(2020.9.7)
【手続補正１】
【補正対象書類名】実用新案登録請求の範囲
【補正対象項目名】全文
【補正方法】変更
【補正の内容】
【実用新案登録請求の範囲】
【請求項１】
短時間で指の挿抜が可能な指サックに関して、指の太さの違いに適応するために、樹脂材、金属材、または樹脂材と金属材の組み合わせによるスリットを備えた中空円筒状のフリーサイズリングを形成し、フリーサイズリングの指挿入口近傍に挿入する指の指腹の向きを示すマーキングを施したボディに、指サックを被覆することにより、短時間で指の挿抜が可能、被覆する指サックの交換が可能、かつウイルスの接触感染を防ぎ易い、感染防止ならびに事務用の何れにも適用可能な感染防止機能付き指コート。
【請求項２】
スリットを備えた中空円筒状のフリーサイズリングを指の先端部近くまで延長するとともに、フリーサイズリングの延長部で指腹部を置く部分に開口部を設けたボディに、指サックを被覆して構成する、請求項１に記載する感染防止機能付き指コート。
【請求項３】
スリットを備えた中空円筒状のフリーサイズリングの長さを、親指用には第一関節長以下、その他指用としては第二関節長以下とする、請求項１又は請求項２に記載する感染防止機能付き指コート。